(57)【要約】【課題】簡易な操作で設定値を所定の値に設定することが可能な画像表示装置を提供する。【解決手段】画像表示装置は、画像表示装置（プロジェクター１）の設定を行うための設定画像を表示する表示部（画像投写部１０）と、キー操作を受け付ける操作受付部（操作パネル２２）と、キー操作に応じて、設定画像において設定値を調整する調整部（制御部２０、画像処理部３１、画像補正部３３）と、調整部によって調整された設定値が調整範囲の最大または最小となっている状態で、操作受付部が所定のキー操作を受け付けると、設定値に所定の値を設定する制御部２０と、を備える。【選択図】図２
2013066006.tif 000002
【特許請求の範囲】
【請求項１】
画像を表示する画像表示装置であって、
前記画像表示装置の設定を行うための設定画像を表示する表示部と、
キー操作を受け付ける操作受付部と、
前記キー操作に応じて、前記設定画像において設定値を調整する調整部と、
前記調整部によって調整された前記設定値が調整範囲の最大または最小となっている状態で、前記操作受付部が所定のキー操作を受け付けると、前記設定値に所定の値を設定する制御部と、
を備えることを特徴とする画像表示装置。
【請求項２】
請求項１に記載の画像表示装置であって、
前記所定のキー操作は、
前記設定値が前記調整範囲の最大となっている場合には、前記設定値を増加させるためのキーを所定の時間連続押下する第１の操作であり、
前記設定値が前記調整範囲の最小となっている場合には、前記設定値を減少させるためのキーを所定の時間連続押下する第２の操作であることを特徴とする画像表示装置。
【請求項３】
請求項２に記載の画像表示装置であって、
前記第１の操作または前記第２の操作によって、前記制御部が前記設定値に設定する前記所定の値は、前記設定値の初期値であることを特徴とする画像表示装置。
【請求項４】
請求項２に記載の画像表示装置であって、
前記表示部に前記設定画像を表示させた時点の第１の設定値を記憶する第１の記憶部をさらに有し、
前記第１の操作または前記第２の操作によって、前記制御部が前記設定値に設定する前記所定の値は、前記第１の記憶部に記憶された前記第１の設定値であることを特徴とする画像表示装置。
【請求項５】
請求項２に記載の画像表示装置であって、
前記第１の操作または前記第２の操作によって、前記制御部が前記設定値に設定する前記所定の値は、
前記設定値が前記調整範囲の最大となっている場合には、前記調整範囲の最小の値であり、
前記設定値が前記調整範囲の最小となっている場合には、前記調整範囲の最大の値であることを特徴とする画像表示装置。
【請求項６】
請求項１に記載の画像表示装置であって、
前記所定のキー操作は、前記設定値が前記調整範囲の最大となっている場合には、前記設定値を増加させるためのキーを断続的に複数回押下する第３の操作であり、
前記設定値が前記調整範囲の最小となっている場合には、前記設定値を減少させるためのキーを断続的に複数回押下する第４の操作であることを特徴とする画像表示装置。
【請求項７】
請求項６に記載の画像表示装置であって、
前記第３の操作または前記第４の操作によって、前記制御部が前記設定値に設定する前記所定の値は、前記設定値の初期値であることを特徴とする画像表示装置。
【請求項８】
画像を表示する画像表示装置の制御方法であって、
前記画像表示装置の設定を行うための設定画像を表示する表示ステップと、
キー操作を受け付ける操作受付ステップと、
前記操作受付ステップによって受け付けられた前記キー操作に応じて、前記設定画像において設定値を調整する調整ステップと、
前記調整ステップによって調整された前記設定値が調整範囲の最大または最小となっている状態で、前記操作受付ステップによって所定のキー操作を受け付けられると、前記設定値に所定の値を設定する制御ステップと、
を備えることを特徴とする画像表示装置の制御方法。
【請求項９】
プロジェクターであって、
前記プロジェクターの設定を行うための設定画像を表示する表示部と、
キー操作を受け付ける操作受付部と、
前記キー操作に応じて、前記設定画像において設定値を調整する調整部と、
前記調整部によって調整された前記設定値が調整範囲の最大または最小となっている状態で、前記操作受付部が所定のキー操作を受け付けると、前記設定値に所定の値を設定する制御部と、
を備えることを特徴とするプロジェクター。
【発明の詳細な説明】
【技術分野】
【０００１】
本発明は、画像表示装置、画像表示装置の制御方法、およびプロジェクターに関する。
【背景技術】
【０００２】
従来、映像調整用メニューを表示し、その映像調整用メニューにおいてバックライトの明るさを調整したり、コントラストや輝度を調整したり、色調を調整したり、色合いを調整したりする映像表示装置（画像表示装置）が開示されている（特許文献１）。この映像表示装置の映像調整用メニューにおける各項目は、項目を表すタイトルと、数字で示される設定値と、設定値を示す図形であるスライダー（インジケーター）とからなる。また、この映像表示装置の映像調整用メニューには、各項目の設定値を初期値にリセットするためのリセット項目を備えている。
【０００３】
また、設定値を増加させるためのキーと減少させるためのキーを同時押下することで、映像調整用メニューの項目を初期値にリセットすることができる画像表示装置（プロジェクター）も知られている。
【先行技術文献】
【特許文献】
【０００４】
【特許文献１】特開２００８−１０２３２８号公報
【発明の概要】
【発明が解決しようとする課題】
【０００５】
しかしながら、特許文献１に示すように、映像調整用メニュー内にリセット項目が設けられている態様では、リセットを実行するためには、リセット項目にカーソルを移動させて選択キーを押下するような操作が必要となるため、手間が掛かっていた。また、映像調整用メニュー内のリセット項目を選択すると、映像調整用メニュー内の全ての項目が初期化されてしまい、項目毎の初期化が困難な場合もあった。また、設定値をリセットするための物理的（ハード的）なリセットキー（ボタン）を備えている画像表示装置等の機器もあるが、機器のコストが上昇してしまうという問題を有していた。
【０００６】
また、設定値を増加させるためのキーと減少させるためのキーを同時押下することで、項目を初期値にリセットする画像表示装置では、例えば、キー構造が十字キーのような構造になっている場合には、対象とする複数のキーを押下することができなかった。
【０００７】
さらに、上述したようなリセット操作では、設定値を初期値にすることしか考慮されていなかった。従って、簡易な操作で設定値を所定の値に設定することが可能な画像表示装置が求められていた。
【課題を解決するための手段】
【０００８】
本発明は、上述の課題の少なくとも一部を解決するためになされたものであり、以下の形態または適用例として実現することが可能である。
【０００９】
［適用例１］本適用例に係る画像表示装置は、画像を表示する画像表示装置であって、前記画像表示装置の設定を行うための設定画像を表示する表示部と、キー操作を受け付ける操作受付部と、前記キー操作に応じて、前記設定画像において設定値を調整する調整部と、前記調整部によって調整された前記設定値が調整範囲の最大または最小となっている状態で、前記操作受付部が所定のキー操作を受け付けると、前記設定値に所定の値を設定する制御部と、を備えることを特徴とする。
【００１０】
このような画像表示装置によれば、表示部と操作受付部と調整部と制御部とを有する。表示部は、画像表示装置の設定を行うための設定画像を表示する。操作受付部は、キー操作を受け付ける。調整部は、設定画像が表示されている状態で設定値をキー操作に応じて調整する。制御部は、設定値が調整範囲の最大または最小となっている状態で、所定のキー操作を受け付けると、設定値に所定の値に設定する。これにより、所定のキー操作によって、設定値に所定の値を設定することが可能となる。
【００１１】
［適用例２］上記適用例に係る画像表示装置において、前記所定のキー操作は、前記設定値が前記調整範囲の最大となっている場合には、前記設定値を増加させるためのキーを所定の時間連続押下する第１の操作であり、前記設定値が前記調整範囲の最小となっている場合には、前記設定値を減少させるためのキーを所定の時間連続押下する第２の操作であることを特徴とする。
【００１２】
このような画像表示装置によれば、設定値に所定の値を設定するための所定のキー操作は、設定値が調整範囲の最大となっている場合には、設定値を増加させるためのキーを所定の時間連続押下する第１の操作であり、調整範囲の最小となっている場合には、設定値を減少させるためのキーを所定の時間連続押下する第２の操作である。これにより、複数のキーを使用することなく、簡易なキー操作で設定値に所定の値を設定することが可能になる。
【００１３】
［適用例３］上記適用例に係る画像表示装置において、前記第１の操作または前記第２の操作によって、前記制御部が前記設定値に設定する前記所定の値は、前記設定値の初期値であることを特徴とする。
【００１４】
このような画像表示装置によれば、制御部が設定値に設定する所定の値は、設定値の初期値である。これにより、複数のキーを使用することなく、簡易なキー操作で設定値を初期値にリセットすることが可能になる。
【００１５】
［適用例４］上記適用例に係る画像表示装置において、前記表示部に前記設定画像を表示させた時点の第１の設定値を記憶する第１の記憶部をさらに有し、前記第１の操作または前記第２の操作によって、前記制御部が前記設定値に設定する前記所定の値は、前記第１の記憶部に記憶された前記第１の設定値であることを特徴とする。
【００１６】
このような画像表示装置によれば、第１の記憶部は、設定画像を表示させた時点の第１の設定値を記憶する。そして、制御部が設定値に設定する所定の値は、第１の設定値である。これにより、複数のキーを使用することなく、簡易なキー操作で設定値を調整する前の設定値に戻すことが可能になる。
【００１７】
［適用例５］上記適用例に係る画像表示装置において、前記第１の操作または前記第２の操作によって、前記制御部が前記設定値に設定する前記所定の値は、前記設定値が前記調整範囲の最大となっている場合には、前記調整範囲の最小の値であり、前記設定値が前記調整範囲の最小となっている場合には、前記調整範囲の最大の値であることを特徴とする。
【００１８】
このような画像表示装置によれば、制御部が設定値に設定する所定の値は、設定値が調整範囲の最大となっている場合には、調整範囲の最小の値であり、設定値が調整範囲の最小となっている場合には、調整範囲の最大の値である。これにより、複数のキーを使用することなく、簡易なキー操作で、設定値の最大値を最小値に変更したり、最小値を最大値に変更したりすることが可能になる。
【００１９】
［適用例６］上記適用例に係る画像表示装置において、前記所定のキー操作は、前記設定値が前記調整範囲の最大となっている場合には、前記設定値を増加させるためのキーを断続的に複数回押下する第３の操作であり、前記設定値が前記調整範囲の最小となっている場合には、前記設定値を減少させるためのキーを断続的に複数回押下する第４の操作であることを特徴とする。
【００２０】
このような画像表示装置によれば、設定値に所定の値を設定するための所定のキー操作は、設定値が調整範囲の最大となっている場合には、設定値を増加させるためのキーを断続的に複数回押下する第３の操作であり、調整範囲の最小となっている場合には、設定値を減少させるためのキーを断続的に複数回押下する第４の操作である。これにより、複数のキーを使用することなく、簡易なキー操作で設定値を所定の値に変更することが可能になる。
【００２１】
［適用例７］上記適用例に係る画像表示装置において、前記第３の操作または前記第４の操作によって、前記制御部が前記設定値に設定する前記所定の値は、前記設定値の初期値であることを特徴とする。
【００２２】
このような画像表示装置によれば、制御部が設定値に設定する所定の値は、設定値の初期値である。これにより、複数のキーを使用することなく、簡易なキー操作で設定値を初期値にリセットすることが可能になる。
【００２３】
［適用例８］本適用例に係る画像表示装置の制御方法は、画像を表示する画像表示装置の制御方法であって、前記画像表示装置の設定を行うための設定画像を表示する表示ステップと、キー操作を受け付ける操作受付ステップと、前記操作受付ステップによって受け付けられた前記キー操作に応じて、前記設定画像において設定値を調整する調整ステップと、前記調整ステップによって調整された前記設定値が調整範囲の最大または最小となっている状態で、前記操作受付ステップによって所定のキー操作を受け付けられると、前記設定値に所定の値を設定する制御ステップと、を備えることを特徴とする。
【００２４】
このような画像表示装置の制御方法によれば、制御ステップは、設定値が調整範囲の最大または最小となっている状態で、所定のキー操作を受け付けると、設定値に所定の値に設定する。これにより、所定のキー操作によって、設定値に所定の値を設定することが可能となる。
【００２５】
［適用例９］本適用例に係るプロジェクターは、プロジェクターであって、前記プロジェクターの設定を行うための設定画像を表示する表示部と、キー操作を受け付ける操作受付部と、前記キー操作に応じて、前記設定画像において設定値を調整する調整部と、前記調整部によって調整された前記設定値が調整範囲の最大または最小となっている状態で、前記操作受付部が所定のキー操作を受け付けると、前記設定値に所定の値を設定する制御部と、を備えることを特徴とする。
【００２６】
このようなプロジェクターによれば、制御部は、設定値が調整範囲の最大または最小となっている状態で、所定のキー操作を受け付けると、設定値に所定の値を設定する。これにより、所定のキー操作によって、設定値に所定の値を設定することが可能となる。
【００２７】
また、上述した画像表示装置、画像表示システムの制御方法、およびプロジェクターが、画像表示装置、プロジェクターに備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、画像表示装置、プロジェクターの内部記憶装置（ＲＡＭ（Random Access Memory）やＲＯＭ（Read Only Memory）等の半導体メモリー）、および外部記憶装置（ＵＳＢメモリー等）等、前記コンピューターが読み取り可能な種々の媒体を利用することができる。
【図面の簡単な説明】
【００２８】
【図１】第１の実施形態のプロジェクターを示す斜視図であり、（ａ）は、前方から見た図、（ｂ）は、後方から見た図。
【図２】プロジェクターの概略構成を示すブロック図。
【図３】プロジェクターの操作パネルを示す平面図。
【図４】プロジェクターのメニュー画像の説明図。
【図５】プロジェクターの台形歪補正画像の説明図であり、（ａ）は、補正値が初期値の場合の台形歪補正画像の説明図、（ｂ）は、調整途中の台形歪補正画像の説明図、（ｃ）は、補正値が最大値の場合の台形歪補正画像の説明図。
【図６】プロジェクターが台形歪補正を行っている際の処理のフローチャート。
【図７】第２の実施形態に係るプロジェクターのメニュー項目選択時の処理のフローチャート。
【図８】プロジェクターが台形歪補正を行っている際の処理のフローチャート。
【図９】第３の実施形態に係るプロジェクターが明るさ調整を行っている際の処理のフローチャート。
【図１０】プロジェクターの明るさ調整画面の説明図であり、（ａ）は、設定値が最大の場合の明るさ調整画面の説明図、（ｂ）は、設定値が最小の場合の明るさ調整画面の説明図。
【図１１】第４の実施形態に係るプロジェクターが台形歪の補正を行っている際の処理のフローチャート。
【発明を実施するための形態】
【００２９】
（第１の実施形態）
以下、第１の実施形態として、光源から射出された光を画像信号に基づいて変調して光学像を形成し、この光学像を外部のスクリーン等に投写する画像表示装置としてのプロジェクターについて、図面を参照して説明する。
【００３０】
図１は、第１の実施形態のプロジェクターを示す斜視図であり、（ａ）は、前方から見た図、（ｂ）は、後方から見た図である。
図１（ａ）、（ｂ）に示すように、プロジェクター１は、装置本体を収容する筐体１００を備えて構成されており、筐体１００の上面１００ｔには、ユーザーにより入力操作が行われる操作パネル２２が配置されている。筐体１００の背面１００ｒには、複数の入力端子を備えた画像情報入力部３０が設けられており、画像情報入力部３０には、図示しない外部の画像供給装置から画像情報が入力される。筐体１００の前面１００ｆには、投写レンズ１３を露出させるための開口部２００が形成されており、この投写レンズ１３から、画像情報に基づく画像が前方の投写面Ｓに投写される。
【００３１】
図２は、プロジェクター１の概略構成を示すブロック図である。図３は、プロジェクター１の操作パネル２２を示す平面図である。
図２に示すように、プロジェクター１は、画像投写部１０、制御部２０、光源制御部２１、操作パネル２２、画像情報入力部３０、画像処理部３１、ＯＳＤ処理部３２、画像補正部３３等を備えており、これらは、筐体１００の内部に収容されている。
【００３２】
画像投写部１０は、光源としての光源装置１１、光変調装置としての３つの液晶ライトバルブ１２Ｒ，１２Ｇ，１２Ｂ、投写光学系としての投写レンズ１３、液晶駆動部１４等で構成されている。画像投写部１０は、表示部に相当するものであり、光源装置１１から射出された光を、液晶ライトバルブ１２Ｒ，１２Ｇ，１２Ｂで画像光に変調し、この画像光を投写レンズ１３から投写して投写面Ｓに画像を表示する。
【００３３】
光源装置１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、複数の画素（図示せず）がマトリクス状に配列された矩形状の画素領域を備えており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域を透過することによって変調され、画像情報に応じた画像光が色光毎に形成される。形成された各色の画像光は、図示しない色合成光学系によって画素毎に合成されてカラーの画像光となった後、投写レンズ１３によって拡大投写される。
【００３５】
制御部２０は、ＣＰＵ（Central Processing Unit）や、各種データ等の一時記憶に用いられるＲＡＭ（Random Access Memory）、不揮発性のＲＯＭ（Read Only Memory）等を備えており、ＲＯＭに記憶されている制御プログラムに従ってＣＰＵが動作することによりプロジェクター１の動作を統括制御する。つまり、制御部２０は、コンピューターとして機能する。また、制御部２０は、タイマー（図示せず）を内蔵しており、キーの連続押下を判定するために、所定の時間を計測する。
【００３６】
操作パネル２２は、ユーザーのキー操作を受け付ける操作受付部に相当するものであり、ユーザーがプロジェクター１に対して各種指示を行うための複数の操作キーを備えている。図３に示すように、本実施形態の操作パネル２２には、電源キー４１、入力切替キー４２、メニューキー４３、上下左右に対応する４つの方向キー４４（上方向キー４４ａ、下方向キー４４ｂ、左方向キー４４ｃ、右方向キー４４ｄ）、決定キー４５、ＥＳＣ（Escape）キー４６、ヘルプキー４７等の操作キーが含まれている。ユーザーが操作パネル２２の各種操作キーを操作すると、操作パネル２２は、この操作を受け付けて、操作された操作キーに対応する制御信号を制御部２０に出力する。そして、制御部２０は、操作パネル２２から制御信号が入力されると、入力された制御信号に基づく処理を行って、プロジェクター１の動作を制御する。なお、操作パネル２２の代わりに、あるいは操作パネル２２とともに、遠隔操作が可能なリモコン（図示せず）を入力操作部として用いた構成としてもよい。この場合、リモコンは、ユーザーの操作内容に応じた赤外線等の操作信号を発信し、図示しないリモコン信号受信部がこれを受信して制御部２０に伝達する。
【００３７】
図２に戻って、画像情報入力部３０は、上述したように、複数の入力端子を備えており、これらの入力端子には、ビデオ再生装置やパーソナルコンピューター等、図示しない外部の画像供給装置から各種形式の画像情報が入力される。画像情報入力部３０は、入力された画像情報を画像処理部３１に出力する。
【００３８】
画像処理部３１は、画像情報入力部３０から入力される画像情報を、液晶ライトバルブ１２Ｒ，１２Ｇ，１２Ｂの各画素の階調を表す画像情報、即ち各画素に印加する駆動電圧を規定するための画像情報に変換する。さらに、画像処理部３１は、制御部２０の指示に基づいて、変換した画像情報に対して、明るさ、コントラスト、シャープネス、色合い等の画質を調整するための画質調整処理等を行い、処理後の画像情報をＯＳＤ処理部３２に出力する。
【００３９】
ＯＳＤ処理部３２は、制御部２０の指示に基づいて、入力された画像情報に基づく画像（以降、「入力画像」と呼ぶ。）上に、メニュー画像やメッセージ画像等のＯＳＤ（オンスクリーンディスプレイ）画像を重畳して表示するための処理を行う。ＯＳＤ処理部３２は、図示しないＯＳＤメモリーを備えており、ＯＳＤ画像を形成するための図形やフォント等を表すＯＳＤ画像情報を記憶している。制御部２０が、ＯＳＤ画像の重畳を指示すると、ＯＳＤ処理部３２は、必要なＯＳＤ画像情報をＯＳＤメモリーから読み出し、入力画像上の所定の位置にＯＳＤ画像が重畳されるように、画像処理部３１から入力される画像情報にこのＯＳＤ画像情報を合成する。ＯＳＤ画像情報が合成された画像情報は、画像補正部３３に出力される。なお、制御部２０からＯＳＤ画像を重畳する旨の指示がない場合には、ＯＳＤ処理部３２は、画像処理部３１から入力される画像情報を、そのまま画像補正部３３に出力する。
【００４０】
画像補正部３３は、投写面Ｓに対して斜め方向から画像を投写する場合に生じる台形歪を補正するための処理を行う。具体的には、画像補正部３３は、制御部２０の指示に基づいて、液晶ライトバルブ１２Ｒ，１２Ｇ，１２Ｂの画素領域内に、台形歪を相殺可能な形状の画像形成領域を設定し、この画像形成領域内に入力画像が形成されるように、ＯＳＤ処理部３２から入力される画像情報を補正するとともに、画像形成領域の外側の画素については、黒色の画素値、つまり、光透過率が最小となる画素値に設定する。画像補正部３３は、上記のように補正した画像情報を液晶駆動部１４に出力する。なお、制御部２０から台形歪を補正する旨の指示がない場合には、画像補正部３３は、ＯＳＤ処理部３２から入力される画像情報を、そのまま液晶駆動部１４に出力する。この場合には、画素領域の全域が画像形成領域となり、画素領域の全域で入力画像が形成される。
【００４１】
液晶駆動部１４が、画像補正部３３から入力される画像情報に従って液晶ライトバルブ１２Ｒ，１２Ｇ，１２Ｂを駆動すると、液晶ライトバルブ１２Ｒ，１２Ｇ，１２Ｂによって画像情報に応じた画像光に変調され、この画像光が投写レンズ１３から投写される。
【００４２】
光源制御部２１は、制御部２０の指示に基づいて光源装置１１（光源ランプ１１ａ）の点灯を制御する。具体的には、光源制御部２１は、光源ランプ１１ａに所定の電力を供給することにより光源ランプ１１ａを点灯させるとともに、電力の供給を停止して光源ランプ１１ａを消灯させることができる。また、光源制御部２１は、制御部２０の指示に基づいて光源ランプ１１ａに供給する電力を制御することにより、光源ランプ１１ａの輝度（明るさ）を調整することが可能である。
【００４３】
次に、プロジェクター１の動作について説明する。
本実施形態のプロジェクター１は、上述したように画像補正部３３によって、台形歪の補正処理を行うことができる。具体的には、操作パネル２２に備わるメニューキー４３が押下されると、メニュー画像が表示される。そして、当該メニュー画像において台形歪補正の項目が選択されると、台形歪補正画像が表示される。この台形歪補正画像において、ユーザーは、上方向キー４４ａや下方向キー４４ｂを押下することによって、台形歪を補正することができる。
【００４４】
図４は、本実施形態に係るプロジェクター１のメニュー画像の説明図である。図５は、本実施形態に係るプロジェクター１の台形歪補正画像の説明図であり、（ａ）は、補正値が初期値の場合の台形歪補正画像の説明図、（ｂ）は、調整途中の台形歪補正画像の説明図、（ｃ）は、補正値が最大値の場合の台形歪補正画像の説明図である。なお、台形歪補正においては、補正値が設定値に相当する。
【００４５】
図４に示すように、メニュー画像Ｍ１には、複数の項目（調整項目）が縦に並んで配列されている。図４に示した例では、台形歪を補正するための「台形歪補正」、画質の調整モード（カラーモード）を設定するための「カラーモード」、画像の明るさを調整するための「明るさ」、光源ランプ１１ａの輝度を調整するための「ランプ輝度」の４つの項目が表示されている。また、４つの調整項目の中の１項目（図４では、「台形歪補正」）は、背景色が他の項目と異なっており、この項目が選択された状態であることを示している。なお、メニュー画像Ｍ１は、ＯＳＤ処理部３２によって表示される。
【００４６】
メニュー画像Ｍ１が表示された状態では、ユーザーは、上下の方向キー４４ａ，４４ｂを操作することによって所望の調整項目を選択することができる。そして、所望の調整項目を選択した状態で決定キー４５を操作することにより、調整項目の選択が確定し、当該調整項目に関する設定を行うことができる。また、ユーザーは、ＥＳＣキー４６を操作することにより、メニュー画像Ｍ１の表示を終了させることができる。
【００４７】
図５に示すように、台形歪補正画像Ｍ２は、台形歪の補正状態を表す設定値Ｎと、棒グラフ状のインジケーターＩとを含んでおり、ユーザーは、これらの設定値ＮやインジケーターＩで補正状態を確認しながら、台形歪を補正することができる。また、台形歪補正画像Ｍ２には、上下の方向キー４４ａ，４４ｂを操作することによって台形歪を補正できること、ＥＳＣキー４６を操作することによって台形歪の補正を終了できることが表記されている。なお、台形歪補正画像Ｍ２，Ｍ３，Ｍ４は、ＯＳＤ処理部３２によって表示される。
【００４８】
図５（ａ）は、台形歪の設定値Ｎが初期値「０」である状態を表している。図５（ｂ）は、台形歪の設定値Ｎが「２５」である状態を表している。図５（ｃ）は、台形歪の設定値Ｎが最大値「６０」である状態を表している。このように、設定画像である台形歪補正画像Ｍ２，Ｍ３，Ｍ４において、キー操作に応じて、設定値Ｎを調整する際の制御部２０、画像補正部３３、および画像処理部３１が調整部に相当する。
【００４９】
図６は、本実施形態に係るプロジェクター１が台形歪補正を行っている際の処理のフローチャートである。
プロジェクター１が台形歪補正画像を表示して、台形歪補正を行われている際に、制御部２０は、上方向キー４４ａが押下されているか否かを判断する（ステップＳ１０１）。上方向キー４４ａが押下されていれば（ステップＳ１０１：ＹＥＳ）、制御部２０は、設定値が最大になっているか否かを判断する（ステップＳ１０２）。設定値が最大（図５（ｃ）参照）になっていれば（ステップＳ１０２：ＹＥＳ）、制御部２０は、タイマーが動作中か否かを判断する（ステップＳ１０３）。タイマーが動作中であれば、制御部２０は、タイマーが計測している時間が所定の時間（例えば、３秒）を経過しているか否かを判断する（ステップＳ１０４）。
【００５０】
所定の時間を経過していれば（ステップＳ１０４：ＹＥＳ）、制御部２０は、上方向キー４４ａが所定の時間連続押下されたと判断して、設定値を初期値にする（ステップＳ１０５）。そして、制御部２０は、ＯＳＤ処理部３２に指示を出してインジケーターＩおよび設定値Ｎの表示を初期値「０」の状態（図５（ａ）参照）に更新させる（ステップＳ１０６）。さらに、制御部２０は、所定の時間を計測するためのタイマーを初期化する（ステップＳ１０７）。そして、ステップＳ１０１に戻る。
【００５１】
上方向キー４４ａが押下されていなければ（ステップＳ１０１：ＮＯ）、制御部２０は、所定の時間を計測するためのタイマーを初期化する（ステップＳ１０８）。そして、ステップＳ１０１に戻る。
【００５２】
設定値が最大になっていなければ（ステップＳ１０２：ＮＯ）、制御部２０は、設定値をインクリメントする（ステップＳ１０９）。そして、制御部２０は、ＯＳＤ処理部３２に指示を出してインジケーターＩおよび設定値Ｎの表示を更新させる（ステップＳ１１０）。そして、ステップＳ１０１に戻る。
【００５３】
タイマーが動作中でなければ（ステップＳ１０３：ＮＯ）、タイマーをスタートする（ステップＳ１１１）。そして、ステップＳ１０１に戻る。
【００５４】
タイマーの計測している時間が所定の時間を経過していなければ（ステップＳ１０４：ＮＯ）、ステップＳ１０１に戻る。
【００５５】
上述した第１の実施形態によれば、以下の効果が得られる。
プロジェクター１は、台形歪の設定値（補正値）が調整範囲の最大となっている場合に、設定値を増加させるための上方向キー４４ａが所定の時間（３秒）連続押下されると、設定値を初期値「０」にリセットする。つまり、ユーザーは、複数のキーを使用することなく、簡易なキー操作で、設定値を初期値に設定することが可能になる。また、このような処理はソフトウェアで実現することが可能である。よって、設定値を初期値にするための物理的（ハード的）なリセットキーを備える必要がないため、プロジェクター１のコストを抑制することができる。なお、本実施形態では、台形歪の設定値（補正値）が最大になっている場合に、上方向キー４４ａを所定の時間連続押下（第１の操作）することで、設定値を初期値にすることを説明したが、台形歪の設定値が最小になっている場合に、設定値を減少させるための下方向キー４４ｂを所定の時間連続押下（第２の操作）することで、設定値を初期値にすることも可能である。また、調整項目は、「台形歪補正」に限定するものではない。
【００５６】
（第２の実施形態）
第２の実施形態では、調整項目の設定値が調整範囲の最大となっている場合に、上方向キー４４ａを所定の時間連続押下することにより、調整処理を開始する前の設定値に戻すことが可能なプロジェクターについて説明する。本実施形態では、台形歪の補正処理を例として説明する。
【００５７】
第２の実施形態に係るプロジェクター２の構成は、第１の実施形態のプロジェクター１と同様（図２参照）である。よって、説明は省略する。
【００５８】
図７は、第２の実施形態に係るプロジェクター２のメニュー項目選択時の処理のフローチャートである。
プロジェクター２は、操作パネル２２に備わるメニューキー４３が押下されると、制御部２０からＯＳＤ処理部３２に指示を出して、メニュー画像Ｍ１（図４参照）を表示させる（ステップＳ２０１）。そして、制御部２０は、キー操作によって調整項目が選択されたか否かを判断する（ステップＳ２０２）。
【００５９】
調整項目が選択された場合（ステップＳ２０２：ＹＥＳ）、制御部２０は、選択された調整項目の現状の設定値をＲＡＭに記憶する（ステップＳ２０３）。本実施形態では、「台形歪補正」が選択されたものとし、台形歪補正の現状の設定値（補正値）をＲＡＭに記憶する。このときの現状の設定値が、第１の設定値に相当し、ＲＡＭが第１の記憶部に相当する。そして、制御部２０は、プロジェクター２を設定調整状態、即ち設定値を調整（変更）するための台形歪補正画像（図５参照）を表示する状態に遷移させる（ステップＳ２０４）。そして、メニュー項目選択時の処理を終了する。
【００６０】
調整項目が選択されていない場合（ステップＳ２０２：ＮＯ）、制御部２０は、ＥＳＣキー４６が押下されたか否かを判断する（ステップＳ２０５）。ＥＳＣキー４６が押下されていれば（ステップＳ２０５：ＹＥＳ）、制御部２０は、ＯＳＤ処理部３２に指示を出して、メニュー画像Ｍ１を消去させる（ステップＳ２０６）。そして、制御部２０はプロジェクター２を通常表示状態、即ちメニュー画像Ｍ１を表示せず、入力されている画像情報に基づいた画像を表示する状態に遷移させる（ステップＳ２０７）。そして、メニュー項目選択時の処理を終了する。
【００６１】
ＥＳＣキー４６が押下されていなければ（ステップＳ２０５：ＮＯ）、ステップＳ２０２に戻り、調整項目が選択されたか否かの判断を行う。
【００６２】
上述したように、プロジェクター２の制御部２０は、メニュー画像Ｍ１の調整項目が選択された際に、選択された調整項目の設定値をＲＡＭに記憶する。
【００６３】
次に、メニュー画像Ｍ１で選択された調整項目を調整する際の処理について説明する。本実施形態では、調整項目として「台形歪補正」が選択された場合について説明する。
図８は、本実施形態に係るプロジェクター２が台形歪補正を行っている際の処理のフローチャートである。
【００６４】
図８に示すように、プロジェクター２が台形歪補正を行っている際の処理のステップＳ３０１からステップＳ３０４までの処理は、第１の実施形態のプロジェクター１が台形歪補正を行っている際の処理（図６参照）のステップＳ１０１からステップＳ１０４までの処理と同様である。よって、説明は省略する。
【００６５】
タイマーが計測している時間が所定の時間（例えば、３秒）を経過していれば（ステップＳ３０４：ＹＥＳ）、制御部２０は、上方向キー４４ａが所定の時間連続押下されたと判断して、ＲＡＭに記憶している設定値を用いて、設定調整状態に入る前の値に戻す（ステップＳ３０５）。そして、制御部２０は、ＯＳＤ処理部３２に指示を出して、インジケーターＩおよび設定値Ｎの表示を更新する（ステップＳ３０６）。さらに、制御部２０は、所定の時間を計測するためのタイマーを初期化する（ステップＳ３０７）。そして、ステップＳ３０１に戻る。
【００６６】
また、ステップＳ３０８からステップＳ３１１までの処理は、第１の実施形態のプロジェクター１が台形歪補正を行っている際の処理（図６参照）のステップＳ１０８からステップＳ１１１までの処理と同様である。よって、説明は省略する。
【００６７】
上述した第２の実施形態によれば、以下の効果が得られる。
プロジェクター２によれば、ＲＡＭ（第１の記憶部）は、調整項目が選択され、調整画像を表示する時点の設定値（補正値）を記憶する。そして、調整範囲が最大となっている場合に、設定値を増加させるための上方向キー４４ａが所定の時間（３秒）連続押下されると、設定値を調整操作を行う前の設定値に戻す。これにより、ユーザーは、複数のキーを使用することなく、簡易なキー操作で設定値を調整する前の設定値に戻すことが可能になる。例えば、ユーザーが誤って設定値を変更してしまった場合に、変更する前の設定値に戻すことが可能になるため、有益である。また、このような処理はソフトウェアで実現することが可能であるため、プロジェクター２のコストを抑制することができる。なお、本実施形態では、台形歪の設定値が最大になっている場合に、上方向キー４４ａを所定の時間連続押下することで、設定値を前の設定値に戻すことを説明したが、台形歪の設定値が最小になっている場合に、設定値を減少させるための下方向キー４４ｂを所定の時間連続押下することで、設定値を前の設定値に戻すことも可能である。また、調整項目は、「台形歪補正」に限定するものではない。
【００６８】
（第３の実施形態）
第３の実施形態では、調整項目の設定値が調整範囲の最大となっている場合に、上方向キー４４ａを所定の時間連続押下することにより、設定値を最小にすることが可能なプロジェクターについて説明する。
【００６９】
第３の実施形態に係るプロジェクター３の構成は、第１の実施形態のプロジェクター１と同様（図２参照）である。よって、説明は省略する。
【００７０】
次に、メニュー画像Ｍ１で選択された調整項目を調整する際の処理について説明する。本実施形態では、調整項目として「明るさ」が選択された場合について説明する。
図９は、第３の実施形態に係るプロジェクター３が明るさ調整を行っている際の処理のフローチャートである。図１０は、本実施形態に係るプロジェクター３の明るさ調整画像の説明図であり、（ａ）は、設定値が最大の場合の明るさ調整画像の説明図、（ｂ）は、設定値が最小の場合の明るさ調整画像の説明図である。
【００７１】
図９に示すように、プロジェクター３が明るさ調整を行っている際の処理のステップＳ４０１からステップＳ４０４までの処理は、第１の実施形態のプロジェクター１が台形歪補正を行っている際の処理（図６参照）のステップＳ１０１からステップＳ１０４までの処理と同様である。よって、説明は省略する。
【００７２】
タイマーが計測している時間が所定の時間（例えば、３秒）を経過していれば（ステップＳ４０４：ＹＥＳ）、制御部２０は、上方向キー４４ａが所定の時間連続押下されたと判断して、調整している設定値を最小の値にする（ステップＳ４０５）。そして、制御部２０は、ＯＳＤ処理部３２に指示を出して、インジケーターＩおよび設定値Ｎの表示を更新する（ステップＳ４０６）。さらに、制御部２０は、所定の時間を計測するためのタイマーを初期化する（ステップＳ４０７）。そして、ステップＳ４０１に戻る。
【００７３】
このとき、図１０（ａ）に示すように、設定値が最大の状態（設定値「５０」）の明るさ調整画像Ｍ５から、図１０（ｂ）に示すように、設定値が最小の状態（設定値「０」）の明るさ調整画像Ｍ６に変更する。
【００７４】
図９に戻り、ステップＳ４０８からステップＳ４１１までの処理は、第１の実施形態のプロジェクター１が台形歪補正を行っている際の処理（図６参照）のステップＳ１０８からステップＳ１１１までの処理と同様である。よって、説明は省略する。
【００７５】
上述した第３の実施形態によれば、以下の効果が得られる。
プロジェクター３によれば、調整範囲の最大となっている場合に、設定値を増加させるための上方向キー４４ａが所定の時間（３秒）連続押下されると、設定値を最小の値にする。これにより、ユーザーは、複数のキーを使用することなく、簡易なキー操作で、設定値を最大値から最小値に変更することが可能になる。例えば、明るい画面を直ちに暗くしたい場合等に有効である。また、このような処理はソフトウェアで実現することが可能であるため、プロジェクター３のコストを抑制することができる。なお、本実施形態では、明るさ調整の設定値が最大になっている場合に、上方向キー４４ａを所定の時間連続押下（第１の操作）することで、設定値を最小の値にすることを説明したが、明るさ調整の設定値が最小になっている場合に、設定値を減少させるための下方向キー４４ｂを所定の時間連続押下（第２の操作）することで、設定値を最大にすることも可能である。また、調整項目は、「明るさ」に限定するものではない。
【００７６】
（第４の実施形態）
第４の実施形態では、調整項目の設定値が調整範囲の最大となっている場合に、上方向キー４４ａを所定の回数（複数回）連打することにより、設定値を初期値にすることが可能なプロジェクターについて説明する。本実施形態では、台形歪の補正処理を例として説明する。
【００７７】
第４の実施形態に係るプロジェクター４の構成は、第１の実施形態のプロジェクター１と同様（図２参照）である。よって、説明は省略する。
【００７８】
図１１は、第４の実施形態に係るプロジェクター４が台形歪の補正を行っている際の処理のフローチャートである。
【００７９】
プロジェクター４が台形歪補正画像を表示して、台形歪の補正が行われている際に、制御部２０は、上方向キー４４ａが押下されているか否かを判断する（ステップＳ５０１）。上方向キー４４ａが押下されていれば（ステップＳ５０１：ＹＥＳ）、制御部２０は、設定値が最大になっているか否かを判断する（ステップＳ５０２）。設定値が最大（図５（ｃ）参照）になっていれば（ステップＳ５０２：ＹＥＳ）、制御部２０は、上方向キー４４ａが所定の回数（本実施形態では３回）連打されたか否かを判断する（ステップＳ５０３）。即ち、上方向キー４４ａが断続的に３回押下されたか否かを判断する。
【００８０】
３回連打されていれば、（ステップＳ５０３：ＹＥＳ）、制御部２０は、設定値を初期値「０」にする（ステップＳ５０４）。そして、制御部２０は、ＯＳＤ処理部３２に指示を出して、インジケーターＩおよび設定値Ｎの表示を初期値「０」の状態（図５（ａ）参照）に更新する（ステップＳ５０５）。そして、ステップＳ５０１に戻る。
【００８１】
上方向キー４４ａが押下されていなければ（ステップＳ５０１：ＮＯ）、制御部２０は、ステップＳ５０１に戻る。
【００８２】
設定値が最大になっていなければ（ステップＳ５０２：ＮＯ）、制御部２０は、設定値をインクリメントする（ステップＳ５０６）。そして、制御部２０は、ＯＳＤ処理部３２に指示を出して、インジケーターＩおよび設定値Ｎの表示を更新する（ステップＳ５０７）。そして、ステップＳ５０１に戻る。
【００８３】
上方向キー４４ａが３回連打されていなければ（ステップＳ５０３：ＮＯ）、ステップＳ５０１に戻る。
【００８４】
上述した第４の実施形態によれば、以下の効果が得られる。
プロジェクター４によれば、台形歪の設定値（補正値）が調整範囲の最大となっている場合に、設定値を増加させるための上方向キー４４ａが３回連打されると、設定値を初期値にリセットする。つまり、ユーザーは、複数のキーを使用することなく、簡易なキー操作で設定値を初期値に変更することが可能になる。また、このような処理はソフトウェアで実現することが可能である。よって、設定値を初期値にするための物理的（ハード的）なリセットキーを備える必要がないため、プロジェクター４のコストを抑制することができる。なお、本実施形態では、台形歪の設定値が最大になっている場合に、上方向キー４４ａを３回連打（第３の操作）することで、設定値を初期値にすることを説明したが、台形歪の設定値が最小になっている場合に、設定値を減少させるための下方向キー４４ｂを３回連打（第４の操作）することで、設定値を初期値にすることも可能である。また、調整項目は、「台形歪補正」に限定するものではない。
【００８５】
なお、上述した実施形態に限定されず、種々の変更や改良等を加えて実施することが可能である。変形例を以下に述べる。
【００８６】
（変形例１）上記第１の実施形態、第２の実施形態、および第３の実施形態では、所定の時間を３秒としているが、３秒に限定するものではない。
【００８７】
（変形例２）上記第４の実施形態では、上方向キー４４ａ（または下方向キー４４ｂ）を連打する回数を３回としているが、３回に限定するものではない。
【００８８】
（変形例３）上記第４の実施形態では、上方向キー４４ａを３回連打することで、設定値を初期値にする場合について説明したが、設定値が最大になっている場合に、上方向キー４４ａを３回連打することで、調整画像を表示する時点の設定値に戻してもよい。また、設定値が最小になっている場合に、下方向キー４４ｂを３回連打することで、調整画像を表示する時点の設定値に戻してもよい。さらに、設定値が最大になっている場合に、上方向キー４４ａを３回連打することで、設定値を最小の値にしてもよい。また、設定値が最小になっている場合に、下方向キー４４ｂを３回連打することで、設定値を最大の値にしてもよい。
【００８９】
（変形例４）上記実施形態では、設定値が調整範囲の最大となっている場合に、上方向キー４４ａを所定の時間連続押下したり、所定の回数連打したりするものとしているが、設定値を増加させるためのキー操作であれば、キー種別は上方向キー４４ａに限定するものではない。また、設定値が調整範囲の最小となっている場合に、下方向キー４４ｂを所定の時間連続押下したり、所定の回数連打したりするものとしているが、設定値を減少させるためのキー操作であれば、キー種別は下方向キー４４ｂに限定するものではない。
【００９０】
（変形例５）上記実施形態では、プロジェクター１，２，３，４の調整項目として、「台形歪補正」、「カラーモード」、「明るさ」、「ランプ輝度」をメニュー画像Ｍ１上で選択可能としているが、調整項目はこれに限定するものではない。例えば、スピーカー等の音声出力装置を備えたプロジェクターであれば、音量の調整項目も選択可能としてもよい。
【００９１】
（変形例６）上記実施形態では、画像表示装置としてプロジェクター１，２，３，４を例にして説明しているが、画像表示装置はプロジェクターに限定するものではない。例えば、透過型のスクリーンを一体的に備えたリアプロジェクター、液晶ディスプレイ、プラズマディスプレイ、有機ＥＬ（Electro Luminescence）ディスプレイ、テレビ受信機等に適用することも可能である。
【００９２】
（変形例７）上記実施形態では、光源装置１１は、放電型の光源ランプ１１ａを有して構成されているが、ＬＥＤ（Light Emitting Diode）光源やレーザー等の固体光源や、その他の光源を用いることもできる。
【００９３】
（変形例８）上記実施形態では、プロジェクター１，２，３，４は、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９４】
１，２，３，４…プロジェクター、１０…画像投写部、１１…光源装置、１１ａ…光源ランプ、１１ｂ…リフレクター、１２Ｒ，１２Ｇ，１２Ｂ…液晶ライトバルブ、１３…投写レンズ、１４…液晶駆動部、２０…制御部、２１…光源制御部、２２…操作パネル、３０…画像情報入力部、３１…画像処理部、３２…ＯＳＤ処理部、３３…画像補正部、４１…電源キー、４２…入力切替キー、４３…メニューキー、４４…方向キー、４４ａ…上方向キー、４４ｂ…下方向キー、４４ｃ…左方向キー、４４ｄ…右方向キー、４５…決定キー、４６…ＥＳＣキー、４７…ヘルプキー、１００…筐体、１００ｆ…前面、１００ｒ…背面、１００ｔ…上面、２００…開口部。
【図１】
2013066006.tif 000003
【図２】
2013066006.tif 000004
【図３】
2013066006.tif 000005
【図４】
2013066006.tif 000006
【図５】
2013066006.tif 000007
【図６】
2013066006.tif 000008
【図７】
2013066006.tif 000009
【図８】
2013066006.tif 000010
【図９】
2013066006.tif 000011
【図１０】
2013066006.tif 000012
【図１１】
2013066006.tif 000013